(57)【要約】      （修正有）【課題】受皿部材と容器本体との間に衝撃吸収部材が配置された機能を維持しつつ部品点数を削減することが可能なコンパクト容器を提供する。【解決手段】本発明のコンパクト容器２０は、固体物を固定する受皿部材１２と、受皿部材を収納する容器本体１３と、容器本体を開閉可能な蓋体１４とを備え、受皿部材と容器本体との間に衝撃吸収部材１５が配置されたコンパクト容器２０であって、衝撃吸収部材１５は、受皿部材を外側から囲む周壁１５ａと、周壁の下端部を閉塞し受皿部材を下方から覆う底壁１５ｂとを有し、容器本体は、蓋体と容器本体との係合を解除可能なフックピース１８を有し、衝撃吸収部材は、少なくとも一部が弾性部材で形成されており、蓋体に当接して蓋体が開放される方向に付勢する蓋体付勢部１５ｊ、又はフックピースを外側に押圧するアンロック部材付勢部１５ｋの少なくとも一方が一体形成されていることを特徴とする。【選択図】図４
2020081766.tif 000002
【特許請求の範囲】
【請求項１】
固体物を固定する受皿部材と、該受皿部材を収納する凹所が形成された容器本体と、前記凹所の上端開口を開閉可能な蓋体とを備え、前記受皿部材と前記容器本体との間に衝撃吸収部材が配置されたコンパクト容器であって、
前記衝撃吸収部材は、平面視で前記受皿部材を外側から囲む周壁と、該周壁の下端部を閉塞し前記受皿部材を下方から覆う底壁とを有し、
前記容器本体は、内側に押圧することで前記蓋体と前記容器本体との係合を解除可能なアンロック部材を有し、
前記衝撃吸収部材は、少なくとも一部が弾性部材で形成されており、前記蓋体の閉塞時に該蓋体に当接して該蓋体が開放される方向に付勢する蓋体付勢部、又は前記アンロック部材を外側に押圧するアンロック部材付勢部の少なくとも一方が一体に設けられていることを特徴とするコンパクト容器。
【請求項２】
前記蓋体付勢部は、前記周壁の上端部から略水平方向外側に突出して設けられている、請求項１に記載のコンパクト容器。
【請求項３】
前記蓋体付勢部は、前記周壁の上端部から後方に突出し、
前記蓋体は、前記蓋体付勢部の下方に位置する回転軸周りに回動し、前記蓋体付勢部が前記蓋体の後部に形成された縦方向リブに前方から当接することで前記蓋体が開放方向に付勢される、請求項２に記載のコンパクト容器。
【請求項４】
前記アンロック部材付勢部は、前記周壁の上端部から前方に突出して設けられ、前記アンロック部材を前方に押圧する、請求項１から３のいずれか一項に記載のコンパクト容器。
【請求項５】
前記衝撃吸収部材は、前記底壁の少なくとも一部が、前記弾性部材を補強する合成樹脂製の補強部で構成されている、請求項１から４のいずれか一項に記載のコンパクト容器。
【発明の詳細な説明】
【技術分野】
【０００１】
本発明は、受皿部材と容器本体との間に衝撃吸収部材が配置されたコンパクト容器に関するものである。
【背景技術】
【０００２】
コンパクト容器は化粧料容器に用いられることが一般的であるが、受皿部材に固定される固形化粧料は、簡単に塗布できるように崩れ易くできている。このため、従来から、受皿部材と容器本体との間に衝撃吸収部材を配置したものが知られている。こうした衝撃吸収部材としては、容器本体の凹所底面と受皿部材の底部との間に空間を形成するように中空突出部が形成されたシート状の座部と当該座部から起立して受皿部材の側壁を保持する周壁を有して可撓性材料からなる受皿収納部と、受皿収納部の周壁から外側に向かって上方に延びる腕部を有し腕部を容器本体に固定したものが開示されている（例えば、特許文献１参照）。
【先行技術文献】
【特許文献】
【０００３】
【特許文献１】特開２０１３−１５４０９８号公報
【発明の概要】
【発明が解決しようとする課題】
【０００４】
従来のコンパクト容器では、蓋体と容器本体との係合が解除されたときに蓋体を跳ね上げるための弾性部材が採用されるなど、衝撃吸収部材の他にも弾性部材が使用されており、部品点数が増加する要因になっていた。
【０００５】
本発明の目的とするところは、コンパクト容器が有する機能を維持しつつ部品点数を削減することが可能なコンパクト容器を提供することにある。
【課題を解決するための手段】
【０００６】
本発明は、上記課題を解決するためになされたものであり、本発明のコンパクト容器は、
固体物を固定する受皿部材と、該受皿部材を収納する凹所が形成された容器本体と、前記凹所の上端開口を開閉可能な蓋体とを備え、前記受皿部材と前記容器本体との間に衝撃吸収部材が配置されたコンパクト容器であって、
前記衝撃吸収部材は、平面視で前記受皿部材を外側から囲む周壁と、該周壁の下端部を閉塞し前記受皿部材を下方から覆う底壁とを有し、
前記容器本体は、内側に押圧することで前記蓋体と前記容器本体との係合を解除可能なアンロック部材を有し、
前記衝撃吸収部材は、少なくとも一部が弾性部材で形成されており、前記蓋体の閉塞時に該蓋体に当接して該蓋体が開放される方向に付勢する蓋体付勢部、又は前記アンロック部材を外側に押圧するアンロック部材付勢部の少なくとも一方が一体に設けられていることを特徴とする。
【０００７】
また、本発明のコンパクト容器は、上記構成において、前記蓋体付勢部は、前記周壁の上端部から略水平方向外側に突出して設けられていることが好ましい。
【０００８】
また、本発明のコンパクト容器は、上記構成において、前記蓋体付勢部は、前記周壁の上端部から後方に突出し、
前記蓋体は、前記蓋体付勢部の下方に位置する回転軸周りに回動し、前記蓋体付勢部が前記蓋体の後部に形成された縦方向リブに前方から当接することで前記蓋体が開放方向に付勢されることが好ましい。
【０００９】
また、本発明のコンパクト容器は、上記構成において、前記アンロック部材付勢部は、前記周壁の上端部から前方に突出して設けられ、前記アンロック部材を前方に押圧することが好ましい。
【００１０】
また、本発明のコンパクト容器は、上記構成において、前記衝撃吸収部材は、前記底壁の少なくとも一部が、前記弾性部材を補強する合成樹脂製の補強部で構成されていることが好ましい。
【発明の効果】
【００１１】
本発明によれば、コンパクト容器が有する機能を維持しつつ部品点数を削減することが可能なコンパクト容器を提供することができる。
【図面の簡単な説明】
【００１２】
【図１】本発明の第１実施形態であるコンパクト容器の（ａ）正面図、（ｂ）平面図である。
【図２】図１のＡ−Ａ断面による断面図であり、本発明の第１実施形態であるコンパクト容器の右側面断面図である。
【図３】本発明の第１実施形態であるコンパクト容器における中枠部材及び衝撃吸収部材の底面図である。
【図４】本発明の第２実施形態であるコンパクト容器の右側面断面図である。
【図５】本発明の第２実施形態であるコンパクト容器における中枠部材及び衝撃吸収部材の底面図である。
【発明を実施するための形態】
【００１３】
以下、図面を参照して、本発明の実施形態である、コンパクト容器１０を詳細に説明する。
【００１４】
図１（ａ），（ｂ）は、本発明の第１実施形態である、コンパクト容器１０である。本実施形態に係るコンパクト容器１０は、特に化粧料等を収容する化粧用コンパクト容器に好適である。本実施形態のコンパクト容器１０は、化粧料等の固体物を収容する空間を形成する容器本体１３と、容器本体１３の上端開口を覆う蓋体１４とを備えている。また、容器本体１３は、内側に押圧することで蓋体１４と容器本体１３との係合を解除して蓋体１４を開放可能なフックピース１８を備えている。なお、本実施形態において、上下方向は、図１（ａ）における上下方向であり、左右方向は、図１（ａ）の左右方向である。また、図１（ａ）における紙面に垂直に手前に向かう方向が前方、紙面に垂直に奥に向かう方向を後方とする。平面視で外側方向とは、図１（ｂ）においてコンパクト容器１０の中心から外側に向かう方向であり、平面視で内側方向とは、図１（ｂ）においてコンパクト容器１０の外縁から中心に向かう方向である。
【００１５】
図２は、図１（ａ）のＡ−Ａ断面による断面図であり、本実施形態であるコンパクト容器１０の右側面断面図である。図２の左側が前方、右側が後方である。図２に示すように、容器本体１３の凹所１３ｄには、固形化粧料Ｓを収容する受皿部材１２と、受皿部材１２と容器本体１３との間に配置され、受皿部材１２への衝撃を吸収する衝撃吸収部材１５とが配置されている。
【００１６】
受皿部材１２は、横断面が略矩形形状をなす側部１２ａと、側部１２ａの下端を閉塞する底部１２ｂとを一体に設け、その内側に、固体物たる固形化粧料Ｓを固定保持している。底部１２ｂは、側部１２ａの下端に連なる辺縁部１２ｂ２と、平面視で辺縁部１２ｂ２の内側に段部１２ｂ３を介して連なり上方に僅かに突出する中央底部１２ｂ１とから構成されている。図示するように、辺縁部１２ｂ２に対して中央底部１２ｂ１が上方に突出するように構成することで、段部１２ｂ３において曲げ剛性が高まり、受皿部材１２を曲げ方向に変形しづらくすることができる。
【００１７】
本実施形態では、受皿部材１２の側部１２ａ及び底部１２ｂの一部をアルミニウムにより一体形成し、その内側に、固体物たる固形化粧料Ｓを固定保持している。また、受皿部材１２の底部１２ｂは、アルミニウム製の上記部材の下面に略同一形状のステンレス製の強磁性体部材を接着により貼り付けている。本実施形態に係る受皿部材１２の底部１２ｂは、このアルミニウム製の部材と強磁性体部材の双方により構成されている。
【００１８】
本実施形態において、受皿部材１２の底部１２ｂは、アルミニウム製の部材に、例えば、ステンレス鋼板などの強磁性体部材を接着等により貼り合わせて形成することができる。しかし、この態様には限定されず、受皿部材１２の底部１２ｂは、各種合成樹脂製の部材に強磁性体部材を接着等により貼り合せて構成してもよい。なお、強磁性体には、鉄、又はマルテンサイト系、フェライト系若しくはオーステナイト・フェライト系のステンレスのほか、コバルト、ニッケル又はそれらの合金（パーマロイ等）、フェライト等が挙げられる。
【００１９】
なお、本実施形態では、底部１２ｂの全面に強磁性体部材が貼り付けられているように構成しているが、この態様には限定されない。底部１２ｂの少なくとも一部が強磁性体により覆われ、平面視で当該強磁性体部分と後述する磁石部材Ｍとが少なくとも部分的に重なるように構成されていてもよい。
【００２０】
容器本体１３は、横断面が略矩形形状をなす側部１３ａの下端に底部１３ｂを一体に設け、その内側には、受皿部材１２及び衝撃吸収部材１５を収納する凹所１３ｄが形成されている。容器本体１３の後方寄りには、底部１３ｂを上下に貫く貫通孔１３ｈが設けられている。利用者は、この貫通孔１３ｈ及び衝撃吸収部材１５の底壁１５ｂに設けられた貫通孔１５ｈを通じて棒材等を挿入し、受皿部材１２の底部１２ｂを棒材等で直接押圧することで、受皿部材１２を衝撃吸収部材１５から取り外して交換できる。すなわち、固形化粧料Ｓを再充填することができる。なお、貫通孔１５ｈは必ずしも設けられていなくてもよい。
【００２１】
また図２において、符号１４は、凹所１３ｄの上端開口を開閉可能な蓋体である。蓋体１４は、後述する衝撃吸収部材１５の周壁１５ａの上端部から後方に延びる蓋体付勢部１５ｊの下方に位置する円筒状のピンＰを介して容器本体１３に連結されており、ピンＰ周りに回動可能である。蓋体１４は、衝撃吸収部材１５の蓋体付勢部１５ｊが蓋体１４の後部に形成された縦方向リブ１４ｒに前方から当接することで蓋体１４が開放する方向に付勢されている。すなわち、蓋体１４は、図２に示す閉塞状態において、回転中心であるピンＰの上方に位置する蓋体付勢部１５ｊによって後方に押圧されており、これによって蓋体１４には後方に回転して開放される方向の回転モーメントが作用している。従って、利用者が後述するフックピース１８（アンロック部材）を内側（後方）に押圧することで蓋体１４と容器本体１３との係合が解除されて、蓋体１４は上述の回転モーメントにより後方に僅かに回転して開放される。また、蓋体１４をピンＰ周りに前方に回転させ、容器本体１３に設けたフック１３ｆにフック１４ｆを係合させることで蓋体１４を図２に示す閉塞状態とすることができる。本実施形態では、蓋体１４の下面には鏡１９が固定されている。
【００２２】
符号１５は、衝撃吸収部材である。衝撃吸収部材１５は、エラストマやゴム等に代表される可撓性を有する弾性材料を含む構成を有している。衝撃吸収部材１５は、横断面が略矩形形状の周壁１５ａの下端に底壁１５ｂを一体に設け、その内側には、受皿部材１２を収納する。すなわち、周壁１５ａは、平面視で受皿部材１２を外側から囲み、底壁１５ｂは、受皿部材１２を下方から覆う。
【００２３】
周壁１５ａは、底壁１５ｂから起立して受皿部材１２の側部１２ａを平面視で外側から囲み保持する。本実施形態では、図２に示すように、周壁１５ａには、その内周面の全周に亘って内側方向に突出する環状突起１５ｐが形成されている。そして、環状突起１５ｐの内周面と、受皿部材１２の側部１２ａの外周面との嵌め合いが締り嵌めとなるように構成されている。従って、受皿部材１２の側部１２ａを衝撃吸収部材１５の周壁１５ａの内周面に嵌合させることで、環状突起１５ｐは平面視で外側方向に弾性変形しつつ受皿部材１２の側部１２ａに当接して内側方向に押圧するため、受皿部材１２は、衝撃吸収部材１５（環状突起１５ｐ）によって抜け止め保持されると共に前後左右方向に弾性支持される。また、受皿部材１２の底部１２ｂ（辺縁部１２ｂ２）が衝撃吸収部材１５の底壁１５ｂに近接することで、受皿部材１２は、上下方向にも弾性支持可能である。これによって、容器本体１３が前後左右上下のいずれの方向から衝撃を受けても、受皿部材１２に直接衝撃が伝わらず、衝撃吸収部材１５によってその衝撃が吸収されるように構成されている。従って、受皿部材１２内に収容された固形化粧料Ｓに亀裂や欠けを生じさせないようにすることができる。
【００２４】
なお、受皿部材１２の側部１２ａ外周面にも環状突部を設け、当該環状突部が、環状突起１５ｐに対して係止されることで、受皿部材１２が、衝撃吸収部材１５から抜けることを強固に防止するように構成してもよい。また、環状突起１５ｐは、必ずしも全周に亘って設ける必要はなく、周方向に間欠的に設けてもよい。
【００２５】
衝撃吸収部材１５の底壁１５ｂにおける後方寄りには、底壁１５ｂを上下に貫く貫通孔１５ｈ（図２参照）が設けられている。利用者は、この貫通孔１５ｈ及び容器本体１３の底部１３ｂに設けられた貫通孔１３ｈを通じて棒材等を挿入し、受皿部材１２の底部１２ｂを棒材等で直接押圧することで、受皿部材１２を衝撃吸収部材１５から取り外して交換できる。すなわち、固形化粧料Ｓを再充填することができる。なお、貫通孔１５ｈは必ずしも設けられていなくてもよい。容器本体１３の底部１３ｂに貫通孔１３ｈが設けられ、衝撃吸収部材１５の底壁１５ｂに貫通孔１５ｈが設けられていない場合には、利用者は、貫通孔１３ｈから棒材等を挿入し、衝撃吸収部材１５の底壁１５ｂを押圧することで衝撃吸収部材１５を弾性変形させ、衝撃吸収部材１５を介して受皿部材１２を下方から押圧するように構成してもよい。
【００２６】
衝撃吸収部材１５の底壁１５ｂは、図２に示すように、右側面視において周壁１５ａの下端に連なる辺縁部１５ｂ２と、辺縁部１５ｂ２の内側端から段部１５ｂ５を経て更に内側に延びる中間底壁１５ｂ３と、中間底壁１５ｂ３の内側に補強部１５ｂ４を介して設けられた中央底壁１５ｂ１とを備えている（図３参照）。補強部１５ｂ４は、例えば、アクリロニトリル−ブタジエン−スチレン（ＡＢＳ）樹脂等の合成樹脂で形成することができる。本実施形態では、辺縁部１５ｂ２、中間底壁１５ｂ３、及び中央底壁１５ｂ１が弾性部材により形成され、補強部１５ｂ４がＡＢＳ樹脂等の合成樹脂により形成されている。
【００２７】
図２に示すように、辺縁部１５ｂ２に対して中央底壁１５ｂ１（磁石部材Ｍを含む）及び補強部１５ｂ４を厚肉に形成することで、中央底壁１５ｂ１及び補強部１５ｂ４において曲げ剛性が高まるため、衝撃吸収部材１５全体の曲げ剛性を高めて、部材の取り扱いや搬送を容易にすることができる。特に、補強部１５ｂ４部分については、弾性部材よりも弾性係数が大きなＡＢＳ樹脂等の合成樹脂を用いることで、曲げ剛性を向上させることができる。従って、衝撃吸収部材１５全体の折れ曲がり等を抑制して、衝撃吸収部材１５の取り扱い易さを改善し、コンパクト容器１０の組立を容易にすることができる。
【００２８】
また、本実施形態では、受皿部材１２の底部１２ｂの辺縁部１２ｂ２が衝撃吸収部材１５の辺縁部１５ｂ２に近接することで、受皿部材１２は衝撃吸収部材１５により上下方向に弾性支持可能である。
【００２９】
本実施形態では、衝撃吸収部材１５の周壁１５ａと底壁１５ｂとが交叉する隅部１５ｃの厚みは、底壁１５ｂの平均厚みよりも薄くなるようにしている。これによって、容器本体１３に衝撃が加わった場合に、隅部１５ｃが変形することで衝撃吸収部材１５が容器本体１３の動きに追従しつつ変形し、容器本体１３に加わった衝撃を効果的に吸収することができる。
【００３０】
特に本実施形態では、中央底壁１５ｂ１及び補強部１５ｂ４よりも、辺縁部１５ｂ２、隅部１５ｃ及び周壁１５ａの方が薄肉に形成されているので、容器本体１３に衝撃が加わった場合に、辺縁部１５ｂ２、隅部１５ｃ及び周壁１５ａが全体として変形することで衝撃吸収部材１５が容器本体１３の動きに追従しつつ変形し、容器本体１３に加わった衝撃を効果的に吸収することができる。
【００３１】
底壁１５ｂの下面には、図２に示すように、磁石部材Ｍが固定されている。本実施形態において、磁石部材Ｍは、平面視で略矩形形状を有する板状の部材であり、図２の上下方向に着磁されている。磁石部材Ｍとしては、例えばフェライト磁石やネオジウム磁石等を用いることができる。また、磁石部材Ｍは、上述の磁石材料に他の強磁性体材料をコア材として組み合わせた構成であってもよい。
【００３２】
本実施形態において、磁石部材Ｍは、衝撃吸収部材１５の底壁１５ｂの下面に設けた凹所１５ｅに嵌合し、固定されている。磁石部材Ｍが嵌合する凹所１５ｅは、周囲を取り囲む嵌合筒部１５ｄにより区画形成されており、磁石部材Ｍは、嵌合筒部１５ｄの下端に形成された係合突起１５ｄ１とアンダーカット係合することで着脱不能に装着されている。
【００３３】
本実施形態では、受皿部材１２の底部１２ｂの少なくとも一部が強磁性体で覆われており、平面視で磁石部材Ｍと受皿部材１２の強磁性体部分とが重なる。従って、磁石部材Ｍと受皿部材１２の強磁性体部分とが上下方向に引き合うため、後述するように、衝撃が加わって受皿部材１２が容器本体１３内で上方に移動してしまっても、磁石部材Ｍと強磁性体部分との間に作用する引き合う力によって、受皿部材１２を衝撃吸収部材１５内に嵌合した状態に戻し、維持することができる。上記の構成は、特に蓋体１４が開放された状態で容器本体１３等に衝撃が加えられた場合に顕著な効果を奏する。
【００３４】
周壁１５ａの上端部には、外側方向に延びるフランジ部１５ｆが形成されており、フランジ部１５ｆの上面から上方に向けて環状突起１５ｇが突出している。本実施形態では、衝撃吸収部材１５と中枠部材１７とは、インサート成形又は二色成形（ダブルモールド）により異材料（例えば、衝撃吸収部材１５にエラストマ、中枠部材１７にＡＢＳ樹脂）を用いて一体として構成されている。そして、図２に示すように、中枠部材１７が容器本体１３の側部１３ａに形成された段部１３ｅに配置されることで、衝撃吸収部材１５は容器本体１３に固定されている。なお、衝撃吸収部材１５は中枠部材１７を介して容器本体１３に固定する代わりに、接着等の手段によって容器本体１３に直接固定するようにしてもよい。
【００３５】
図２及び図３に示すように、周壁１５ａの上端部から後方に向けてフランジ部１５ｆを介して蓋体付勢部１５ｊが突出して設けられている。蓋体付勢部１５ｊは、衝撃吸収部材１５と一体に設けられており、図２に示す蓋体１４の閉塞状態において、蓋体１４の後部に形成された縦方向リブ１４ｒに当接している。なお、図２に示す蓋体付勢部１５ｊの形状は、蓋体付勢部１５ｊが縦方向リブ１４ｒに当接していない初期の形状を示している。そして、蓋体１４を閉塞すると、縦方向リブ１４ｒが蓋体付勢部１５ｊを前方に押圧し、蓋体付勢部１５ｊを弾性変形させながら図２に示す位置まで移動する。
【００３６】
図２に示す閉塞状態では、蓋体１４の縦方向リブ１４ｒは、蓋体付勢部１５ｊによって後方に付勢されている。そして、フックピース１８（アンロック部材）を内側（後方）に押圧して蓋体１４と容器本体１３との係合を解除すると、蓋体１４には、蓋体付勢部１５ｊによって回転モーメントが与えられ、ピンＰ周りに後方に回動する。すなわち、蓋体付勢部１５ｊによって、蓋体１４の跳ね上がりをサポートすることができる。
【００３７】
図３は、衝撃吸収部材１５及びこれに一体的に形成された中枠部材１７の底面図である。衝撃吸収部材１５は、図３に示す底面視において、中央部及び辺縁部で弾性部材又は磁石部材Ｍを下面に露出させ、それ以外の領域を補強部１５ｂ４で覆っている。また、図示しない平面視においても、中央部及び辺縁部で弾性部材を上面に露出させ、それ以外の領域を補強部１５ｂ４で覆っている。このような構成によって、固形化粧料Ｓを再充填するために受皿部材１２を容器本体１３から取り外した際の容器本体１３の美観を改善することができる。
【００３８】
上述のように、受皿部材１２は、衝撃吸収部材１５によって、容器本体１３の側部１３ａ及び底部１３ｂに対して離間した状態に支持される。このため、容器本体１３が受けた衝撃は、衝撃吸収部材１５の周壁１５ａ及び底壁１５ｂを通して受皿部材１２に伝わるので、受皿部材１２が容器本体１３からの衝撃を直接受けることがない。
【００３９】
従って、本実施形態によれば、受皿部材１２に伝わる衝撃を効果的に吸収することで、受皿部材１２に収容された固形化粧料Ｓに亀裂や欠けを生じさせない新規なコンパクト容器１０を提供することができる。
【００４０】
蓋体１４は、その内側にパフ等の化粧道具Ｔを収納するための空間を形成する。一方、容器本体１３側には、図２に示すように、蓋体１４に設けたフック１４ｆに係合し蓋体１４の開放を阻止するフック１３ｆを設けると共に、これらフック１４ｆ及び１３ｆの係合を、その押し込みにより解除するフックピース１８（アンロック部材）を設けることができる。
【００４１】
また、容器本体１３に形成した貫通孔１３ｈは、容器本体１３と蓋体１４との間に外気を導入するため、容器本体１３と蓋体１４との間が密閉された場合に、その負圧によって生じる衝撃吸収部材１５の機能低下を防止するのに有効である。
【００４２】
以上述べたように、本実施形態は、固形化粧料Ｓ（固体物）を固定する受皿部材１２と、受皿部材１２を収納する凹所１３ｄが形成された容器本体１３と、凹所１３ｄの上端開口を開閉可能な蓋体１４とを備え、受皿部材１２と容器本体１３との間に衝撃吸収部材１５が配置されたコンパクト容器１０であって、衝撃吸収部材１５は、平面視で受皿部材を外側から囲む周壁１５ａと、周壁１５ａの下端部を閉塞し受皿部材１２を下方から覆う底壁１５ｂとを有し、容器本体１３は、内側（後方）に押圧することで蓋体１４と容器本体１３との係合を解除可能なフックピース１８（アンロック部材）を有し、衝撃吸収部材１５は、少なくとも一部が弾性部材で形成されており、蓋体１４の閉塞時に蓋体１４に当接して蓋体１４が開放される方向に付勢する蓋体付勢部１５ｊが一体に設けられるように構成した。このような構成の採用によって、受皿部材１２が衝撃吸収部材１５を介して容器本体１３に支持されるため、受皿部材１２に伝わるはずの衝撃を効果的に吸収することができる。また、蓋体１４が開放される方向の力を付勢する蓋体付勢部１５ｊを、衝撃吸収部材１５と一体に設けるようにしたので、衝撃吸収機能及び蓋体付勢機能を維持したまま部品点数を削減することができる。
【００４３】
また、本実施形態では、蓋体付勢部１５ｊは、周壁１５ａの上端部から略水平方向外側に突出して設けられるように構成した。このような構成の採用によって、蓋体付勢部１５ｊを蓋体１４の内側面のリブ等に容易に当接させて、蓋体１４を付勢することができる。
【００４４】
また、本実施形態では、蓋体付勢部１５ｊは、周壁１５ａの上端部から後方に突出し、蓋体１４は、蓋体付勢部１５ｊの下方に位置する回転軸（ピンＰ）周りに回動し、蓋体付勢部１５ｊが蓋体１４の後部に形成された縦方向リブ１４ｒに前方から当接することで蓋体１４が開放方向に付勢されるように構成した。このような構成の採用によって、蓋体１４の回転軸を付勢力の作用点の下方に配置することで、コンパクト容器１０の前後方向の長さを短くして小型のコンパクト容器１０を実現することができる。
【００４５】
また、本実施形態では、衝撃吸収部材１５は、底壁１５ｂの少なくとも一部が、弾性部材を補強する合成樹脂製の補強部１５ｂ４で構成されるようにした。このような構成の採用によって、衝撃吸収部材１５は、補強部１５ｂ４において曲げ剛性が高まるために衝撃吸収部材１５全体としての剛性も高まる。従って、衝撃吸収部材１５と一体に設けられた蓋体付勢部１５ｊにより蓋体１４に確実に付勢力を作用させることができる。
【００４６】
次に、本発明の第２実施形態である、コンパクト容器２０を詳細に説明する。
【００４７】
図４は、本発明の第２実施形態に係るコンパクト容器２０の右側面断面図である。図４の左側が前方、右側が後方である。図４に示すように、容器本体１３の凹所１３ｄには、固形化粧料Ｓを収容する受皿部材１２と、受皿部材１２と容器本体１３との間に配置され、受皿部材１２への衝撃を吸収する衝撃吸収部材１５とが配置されている。なお、本実施形態のコンパクト容器２０は、第１実施形態と比較して、衝撃吸収部材１５にアンロック部材付勢部１５ｋが一体に設けられている他は、第１実施形態の構成と近似している。従って、ここでは第１実施形態との差異点を中心に説明する。なお、発明の詳細な説明及び図面において、第１実施形態と同一の機能を有する部材については同一の符号を付して説明する。
【００４８】
本実施形態において、衝撃吸収部材１５は、図４及び図５に示すように、周壁１５ａの上端部から前方に向けてフランジ部１５ｆを介してアンロック部材付勢部１５ｋが突出して設けられている。アンロック部材付勢部１５ｋは、衝撃吸収部材１５と一体に設けられており、図４に示す蓋体１４の閉塞時において、フックピース１８（アンロック部材）の内側端（後方端）に当接してフックピース１８を前方（外側）に向けて押圧している。
【００４９】
フックピース１８は、利用者がフックピース１８を内側（後方）に押圧することで蓋体１４側に設けたフック１４ｆと容器本体１３側に設けたフック１３ｆとを引き離す方向の力を作用させて両者の係合を解除する。本実施形態では、フックピース１８はアンロック部材付勢部１５ｋにより前方に付勢されている。そして、フックピース１８の押圧により蓋体１４が開放されてフック１４ｆが離れた後も、フックピース１８はアンロック部材付勢部１５ｋによって前方に付勢されているためにがたつくことがない。また、フックピース１８を内側（後方）に押圧したときにエラストマ等の弾性部材で構成されたアンロック部材付勢部１５ｋから反力が得られるので、フックピース１８を操作したときの操作感を向上させることができる。なお、フックピース１８は、爪部１８ａが容器本体１３の係合凹部１３ｊに係合することで外側への変位を規制されている。
【００５０】
以上述べたように、本実施形態は、固体物を固定する受皿部材１２と、受皿部材１２を収納する凹所１３ｄが形成された容器本体１３と、凹所１３ｄの上端開口を開閉可能な蓋体１４とを備え、受皿部材１２と容器本体１３との間に衝撃吸収部材１５が配置されたコンパクト容器２０であって、衝撃吸収部材１５は、平面視で受皿部材を外側から囲む周壁１５ａと、周壁１５ａの下端部を閉塞し受皿部材１２を下方から覆う底壁１５ｂとを有し、容器本体１３は、内側に押圧することで蓋体１４と容器本体１３との係合を解除可能なフックピース１８（アンロック部材）を有し、衝撃吸収部材１５は、少なくとも一部が弾性部材で形成されており、蓋体１４の閉塞時に蓋体１４に当接して蓋体１４が開放される方向に付勢する蓋体付勢部１５ｊ、又はフックピース１８（アンロック部材）を外側（前方）に押圧するアンロック部材付勢部１５ｋの少なくとも一方が一体に設けられるように構成した。このような構成の採用によって、受皿部材１２が衝撃吸収部材１５を介して容器本体１３に支持されるため、受皿部材１２に伝わるはずの衝撃を効果的に吸収することができる。また、衝撃吸収部材１５にアンロック部材付勢部１５ｋを一体に設けるようにしたので、衝撃吸収機能及びアンロック部材付勢機能を維持したまま部品点数を削減することができる。
【００５１】
なお、本実施形態では、衝撃吸収部材１５に蓋体付勢部１５ｊ及びアンロック部材付勢部１５ｋの双方を一体に設けるように構成したが、この態様には限定されず、衝撃吸収部材１５にアンロック部材付勢部１５ｋのみを一体に設けるように構成してもよい。その場合、蓋体付勢部１５ｊは、衝撃吸収部材１５と別体で設けてもよいし、設けないようにしてもよい。
【００５２】
また、本実施形態では、アンロック部材付勢部１５ｋは、周壁１５ａの上端部から前方に突出して設けられ、フックピース１８（アンロック部材）を前方に押圧するように構成した。このような構成の採用によって、簡素な構造でアンロック部材付勢部１５ｋを容易にフックピース１８に当接させて、フックピース１８を付勢することができる。
【００５３】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部に含まれる機能などは論理的に矛盾しないように再配置可能であり、複数の構成部を１つに組み合わせたり、或いは分割したりすることが可能である。本発明の範囲にはこれらも包含されるものと理解されたい。
【００５４】
例えば、第１及び第２実施形態では、衝撃吸収部材１５や容器本体１３の平面形状を略矩形形状としてが、この態様には限定されず、円形など、受皿部材１２の平面形状等に応じて適宜変更することができる。
【００５５】
また、第１及び第２実施形態では、弾性部材が中央部及び辺縁部において上面に露出するように構成したが、この態様には限定されない。弾性部材は、衝撃吸収部材１５の底壁１５ｂにおける任意の位置において上面に露出するように構成してもよい。また、弾性部材は、底壁１５ｂの上面に露出しない構成としてもよい。
【００５６】
また、第１及び第２実施形態では、受皿部材１２に固形化粧料Ｓを収容するように構成したが、この態様には限定されず、化粧料以外の固体物を収容してもよい。
【００５７】
また、第１及び第２実施形態では、磁石部材Ｍを衝撃吸収部材１５に固定するように構成したが、この態様には限定されず、磁石部材Ｍを容器本体１３側の底部１３ｂ等に固定するようにしてもよい。
【００５８】
また、第１及び第２実施形態では、受皿部材１２の底部１２ｂの全領域に強磁性体部材を設けるように構成したが、この態様には限定されない。受皿部材１２は、底部１２ｂの少なくとも一部が強磁性体により覆われ、平面視で当該強磁性体部分と磁石部材Ｍとが少なくとも部分的に重なるように構成されていてもよい。また、底部１２ｂは、強磁性体部材とそれ以外の部材（本実施形態ではアルミニウム）を積層した構成に限定されず、強磁性体部材のみからなる単層部分が存在してもよい。
【００５９】
また、第１及び第２実施形態では、蓋体付勢部１５ｊが蓋体１４の後部に形成された縦方向リブ１４ｒに前方から当接することで蓋体１４が開放方向に付勢されるように構成したが、この態様には限定されない。蓋体付勢部１５ｊが蓋体１４に下方から当接することで蓋体１４が開放方向に付勢されるように構成してもよい。また、蓋体付勢部１５ｊは、衝撃吸収部材１５の後方ではなく、前方や側方に設けるようにしてもよい。
【００６０】
また、第１及び第２実施形態では、蓋体付勢部１５ｊは、周壁１５ａの上端部から略水平方向外側に突出して設けられるように構成したが、この態様には限定されず、底壁１５ｂや、周壁１５ａの上端部以外の部位と一体に設けられていてもよい。
【００６１】
また、第２実施形態では、アンロック部材付勢部１５ｋは、周壁１５ａの上端部から前方に突出して設けられるように構成したが、この態様には限定されず、底壁１５ｂや、周壁１５ａの上端部以外の部位と一体に設けられていてもよい。
【産業上の利用可能性】
【００６２】
本発明は、固体物を固定する受皿部材１２と、当該受皿部材１２を収納する凹所１３ｄが形成された容器本体１３と、前記凹所１３ｄの上端開口を開閉可能な蓋体１４とを備え、受皿部材１２と容器本体１３との間に衝撃吸収部材１５が配置されるコンパクト容器１０であれば、様々なものに適用することができる。
【符号の説明】
【００６３】
１０    コンパクト容器
１２    受皿部材
１２ａ  側部
１２ｂ  底部
１２ｂ１  中央底部
１２ｂ２  辺縁部
１２ｂ３  段部
１３    容器本体
１３ａ  側部
１３ｂ  底部
１３ｄ  凹所
１３ｅ  段部
１３ｆ  フック
１３ｈ  貫通孔
１３ｊ  係合凹部
１４    蓋体
１４ｆ  フック
１４ｒ  縦方向リブ
１５    衝撃吸収部材
１５ａ  周壁
１５ｂ  底壁
１５ｂ１  中央底壁
１５ｂ２  辺縁部
１５ｂ３  中間底壁
１５ｂ４  補強部
１５ｂ５  段部
１５ｃ  隅部
１５ｄ  嵌合筒部
１５ｄ１  係合突起
１５ｅ  凹所
１５ｆ  フランジ部
１５ｇ  環状突起
１５ｈ  貫通孔
１５ｊ  蓋体付勢部
１５ｋ  アンロック部材付勢部
１５ｐ  環状突起
１７    中枠部材
１８    フックピース（アンロック部材）
１８ａ  爪部
１９    鏡
２０    コンパクト容器
Ｍ      磁石部材
Ｐ      ピン
Ｓ      固形化粧料（固体物）
Ｔ      化粧道具
【図１】
2020081766.tif 000003
【図２】
2020081766.tif 000004
【図３】
2020081766.tif 000005
【図４】
2020081766.tif 000006
【図５】
2020081766.tif 000007